(57)【要約】【課題】  コンパクトな構成でありながら、多彩な図柄表示を可能としたリール式表示装置を提供する。【解決手段】  リール式表示装置９のリールユニット１０Ａ〜１０Ｃに、外リール１１と、外リール１１の内側に配置された内リール１２とを備え、外リール１１の周面１１ａに描かれた内容（例えば図柄形状）と、内リール１２の周面に描かれた内容（例えば色）とを組み合わせて、表示位置１４に、１つの図柄を形成する。【選択図】  図５
2005287654.tif 000002
【特許請求の範囲】
【請求項１】
外リールと、
前記外リールの内側に配置された少なくとも１つの内リールと、
前記外リールを回転駆動する外リール駆動手段と、
前記内リールを回転駆動する内リール駆動手段と、
を備え、
前記外リールの周面に備えられた内容と前記内リールの周面に備えられた内容とが組み合わされて１つの図柄が形成され得るようにしたリール式表示装置。
【請求項２】
前記外リールの周面又は前記内リールの周面のいずれか一方に、図柄形状を備えるとともに、前記外リールの周面又は前記内リールの周面のいずれか他方に、色が付けられた複数の領域を備え、前記外リールの図柄形状と前記内リールの色が組み合わされて１つの図柄が形成されるようにした請求項１に記載のリール式表示装置。
【請求項３】
前記外リールの周面と前記内リールの周面のそれぞれに図柄を備え、前記内リールの図柄が前記外リールを透過して見えるようにすることにより、前記外リールの図柄と前記内リールの図柄が組み合わされて１つの図柄が形成されるようにした請求項１または請求項２に記載のリール式表示装置。
【請求項４】
前記外リールの周面又は前記内リールの周面のいずれか一方に描かれた図柄は、前記外リールの周面又は前記内リールの周面のいずれか他方に描かれた図柄を縮小した小図柄である請求項３に記載のリール式表示装置。
【請求項５】
前記外リール駆動手段は、前記外リールの回転中心軸上に配置された外リール用モータである請求項１から請求項４のいずれか１つに記載のリール式表示装置。
【請求項６】
前記内リール駆動手段は、前記内リールの内周付近に配置された内リール用モータである請求項１から請求項５のいずれか１つに記載のリール式表示装置。
【請求項７】
前記内リール用モータのモータ軸に固定されたギアが、前記内リールの内周に形成された歯と噛み合うことにより、前記内リールが回転駆動されるようにした請求項６に記載のリール式表示装置。
【請求項８】
前記内リール用モータのモータ軸に固定されたローラが、前記内リールの内周面に当接することにより、前記ローラと前記内周面間の摩擦力で前記内リールが回転駆動されるようにした請求項６に記載のリール式表示装置。
【請求項９】
前記外リール駆動手段と前記内リール駆動手段の両方として機能する１つのモータを備えた請求項１から請求項５のいずれか１つに記載のリール式表示装置。
【請求項１０】
複数のリールユニットを備え、各リールユニットに前記外リールと前記内リールとを備えた請求項１から請求項９のいずれか１つに記載のリール式表示装置。
【発明の詳細な説明】
【技術分野】
【０００１】
本発明は、パチスロ機（スロットマシン）やパチンコ機等に備えられるリール式表示装置（回胴式表示装置）に関し、より詳細には、外リールと内リールとを備えることにより図柄表示のバリエーションを豊富にしたリール式表示装置に関する。
【背景技術】
【０００２】
従来から、パチスロ機（スロットマシン）やパチンコ機においては、リール式表示装置が用いられている。このようなリール式表示装置には、例えば３個の円筒形リールが備えられる。各リールは、周面に複数の図柄が描かれたもので、これら複数の図柄の一部がパチスロ機やパチンコ機の表示窓から見えるようになっている。このようなリールが、回転することにより、表示窓から見える図柄が変動する。パチスロ機やパチンコ機による遊技は、表示窓から見える図柄の種類の組み合わせにしたがって進行することになる。
【発明の開示】
【発明が解決しようとする課題】
【０００３】
このように、パチンコ機やパチスロ機による遊技は、表示された図柄の種類に基づいて進行するので、表示窓から表示され得る図柄の種類が多いほど、遊技にバリエーションを持たせることができ、興趣を高めることができる。しかしながら、従来のリール式表示装置では、図柄の種類を増やそうとすると、リール上の図柄が描かれるスペースを広げなければならず、これでは、リールが大型化してしまう。リールが大型化すれば、省スペースが図れないのみならず、リールの安定的な回転動作にも支障が生じかねない。
【０００４】
本発明は、このような問題点に着目してなされたもので、コンパクトな構成でありながら、多彩な図柄表示を可能としたリール式表示装置を提供することを目的とする。
【課題を解決するための手段】
【０００５】
本発明は、リール式表示装置において、外リールと、前記外リールの内側に配置された少なくとも１つの内リールと、前記外リールを回転駆動する外リール駆動手段と、前記内リールを回転駆動する内リール駆動手段とを備え、前記外リールの周面に備えられた内容と前記内リールの周面に備えられた内容とが組み合わされて１つの図柄が形成され得るようにした。
【０００６】
前記外リールの周面又は前記内リールの周面のいずれか一方に、図柄形状を備えるとともに、前記外リールの周面又は前記内リールの周面のいずれか他方に、色が付けられた複数の領域を備え、前記外リールの図柄形状と前記内リールの色が組み合わされて１つの図柄が形成されるようにしてもよい。
【０００７】
前記外リールの周面と前記内リールの周面のそれぞれに図柄を備え、前記内リールの図柄が前記外リールを透過して見えるようにすることにより、前記外リールの図柄と前記内リールの図柄が組み合わされて１つの図柄が形成されるようにしてもよい。
【０００８】
前記外リールの周面又は前記内リールの周面のいずれか一方に描かれた図柄は、前記外リールの周面又は前記内リールの周面のいずれか他方に描かれた図柄を縮小した小図柄であってもよい。
【０００９】
前記外リール駆動手段は、前記外リールの回転中心軸上に配置された外リール用モータであってもよい。
前記内リール駆動手段は、前記内リールの内周付近に配置された内リール用モータであってもよい。
【００１０】
前記内リール用モータのモータ軸に固定されたギアが、前記内リールの内周に形成された歯と噛み合うことにより、前記内リールが回転駆動されるようにしてもよい。
前記内リール用モータのモータ軸に固定されたローラが、前記内リールの内周面に当接することにより、前記ローラと前記内周面間の摩擦力で前記内リールが回転駆動されるようにしてもよい。
【００１１】
前記外リール駆動手段と前記内リール駆動手段の両方として機能する１つのモータを備えてもよい。
複数のリールユニットを備え、各リールユニットに前記外リールと前記内リールとを備えるようにしてもよい。
【発明の効果】
【００１２】
本発明のリール式表示装置によれば、外リールの周面に備えられた内容（例えば、外リール１１の周面１１ａに設けられた図柄４２又は小図柄４３）と内リールの周面に備えられた内容（例えば、内リール１２の周面１２ａの各図柄領域４６に設けられた色又は図柄４７）とが組み合わされて１つの図柄が形成され得るようにしたので、外リールに備えられた１つの内容に対して、内リールに備えられた内容の種類だけ、異なる種類の図柄を形成することができる。したがって、多彩な図柄表示が可能となり、リール式表示装置を用いたパチスロ機（スロットマシン）やパチンコ機での遊技の興趣が高められる。
【００１３】
例えば、外リールの周面又は内リールの周面のいずれか一方に、図柄形状を備えるとともに、外リールの周面又は前記内リールの周面のいずれか他方に、色が付けられた複数の領域を備え、外リールの図柄形状と内リールの色が組み合わされて１つの図柄が形成されるようにすれば、１つの図柄形状について、他方のリールに備えられた色の種類だけ、異なる図柄を形成できる。また、外リールの周面と内リールの周面のそれぞれに図柄を備え、外リールと内リールの図柄が組み合わされて１つの図柄が形成されるようにすれば、外リールの１つの図柄について、内リールの図柄の種類だけ、異なる図柄を形成できる。
【００１４】
また、内リールは、外リールの内側に配置されるので、外リールのみを備えた場合より余分にスペースが必要とされることはなく、リール式表示装置をコンパクトに構成することができる。
【００１５】
また、内リール駆動手段を内リールの内周付近に配置された内リール用モータとすれば、例えば外リール駆動手段である外リール用モータを外リールの回転中心軸上に配置した場合、外リール用モータとは別の内リール用モータを、外リール用モータと干渉しないように、適切に配設することができる。したがって、外リールと内リールのそれぞれを、異なるモータによって独立して動作させることができ、図柄表現や遊技方法の自由度が高まる。
【００１６】
また、外リール駆動手段と内リール駆動手段を、両者の機能を兼ねた１つのモータとすれば、部品点数を削減することができ、低コストでリール式表示装置を構成できる。
【発明を実施するための最良の形態】
【００１７】
以下、添付図面にしたがって、本発明の実施形態について説明する。
図１から図１０には、本発明の第１の実施形態を示す。図１は、スロットマシン１の正面図である。図示されるように、スロットマシン１は、筐体２の前面に、表示窓３を備えている。リール式表示装置９は、この表示窓３の背後に位置するように、筐体２内に収容されている。リール式表示装置９は、３つのリールユニット１０Ａ、１０Ｂ、１０Ｃからなるもので、これらのリールユニット１０Ａ〜１０Ｃの一部が、表示窓３から覗いた状態となり、筐体２の外部から見えるようになっている。
【００１８】
筐体２の表示窓３の下方には、コイン投入口４と、クレジット用投入ボタン５と、スタートレバー６と、ストップボタン７Ａ、７Ｂ、７Ｃが配設されている。ここで、ストップボタン７Ａ、７Ｂ、７Ｃは、それぞれリールユニット１０Ａ、１０Ｂ、１０Ｃに対応して設けられたものである。また、筐体２の底部付近には、コイン排出口８が備えられている。
【００１９】
スロットマシン１による遊技においては、遊技者は、まずコイン投入口４から遊技用コインを投入する。この場合、遊技者は、投入直後の遊技に使用するだけのコインを投入することもできるし、将来の遊技に使用するためのコインを予め投入することもできる。予め投入されたコインを使用するときには、クレジット用投入ボタン５を押すことにより、コインを投入したのと同様の効果が得られるようになっている。
【００２０】
このようにコイン投入を行ったら、スタートレバー５を操作することにより、リールユニット１０Ａ〜１０Ｃの動作を開始させる。これにより、各リールユニット１０Ａ〜１０Ｃにおいて、リール１１、１２（図２〜図６参照）が回転動作を開始する。ここで、リール１１、１２は、その周面１１ａ、１２ａに複数の図柄等の表示内容が描かれた円筒形の部材であり、詳しくは後述するように、リール１１とリール１２に描かれた表示内容が組み合わされることにより、表示窓３内に図柄が表示される。そして、リール１１、１２が回転することにより、表示窓３内に表示された図柄が変動する。
【００２１】
その後、遊技者は、ストップボタン６Ａ、６Ｂ、６Ｃを操作することにより、対応するリールユニット１０Ａ、１０Ｂ、１０Ｃの動作を停止させる。このようにリールユニット１０Ａ〜１０Ｃを停止させたときに、表示窓３内に表示されている図柄の組み合わせに応じて、コイン排出口８から賞品であるコインの払い戻しが行われ、遊技が進行する。
【００２２】
図２から図５には、リール式表示装置９を詳細に示す（図５では、リールユニット１０Ｃの図示を省略している）。また、図６には、１つのリールユニット１０内の構成を、分解斜視図で示す。なお、３つのリールユニット１０Ａ〜１０Ｃは、いずれも同一の構成を有するものであるので、図６における図示及び以降の説明においては、リールユニット１０Ａ〜１０Ｂをまとめてリールユニット１０としている。また、リールユニット１０内の各構成要素については、共通の名称及び図番を用いて説明する。
【００２３】
図示されるように、リール式表示装置９は、３つのリールユニット１０Ａ、１０Ｂ、１０Ｃから構成される。リールユニット１０Ａ〜１０Ｃは、筐体２内に水平に備えられた載置台２ａ上に配置され、筐体２に対して固定されている。
【００２４】
各リールユニット１０は、それぞれ、支持ブラケット１３を備えている。支持ブラケット１３は、板状の部材であり、載置台２ａ上に、所定の間隔をもって直立状態で固定されている。この支持ブラケット１３に、リールユニット１０の各種構成要素が支持される。すなわち、支持ブラケット１３には、外リール用モータ２１と、内リール用モータ２３と、外ガイドローラ２５と、内ガイドローラ２６と、ランプハウジング３１と、フォトセンサ３５が固定されている。
【００２５】
外リール用モータ２１は、外リール１１を回転駆動するモータで、支持ブラケット１３の略中央付近に、固定されている。外リール用モータ２１のモータ軸２１ａは、支持ブラケット１３に対して垂直方向に延びており、このモータ軸２１ａの先端に、外リールボス２２が固定されている。この外リールボス２２に対して、外リール１１が固定される。
【００２６】
外リール１１は、円筒形の部材であり、湾曲した周面１１ａと、略平坦な側面１１ｂとを有する。側面１１ｂと相対する部分は、開口となっている。外リール１１は、この開口部分を支持ブラケット１３側に向けて配置され、外リール用モータ２１を内側に収容した状態となっている。
【００２７】
外リール１１の側面１１ｂの中央には、外リール１１の内側に向けて窪んだボス取り付け部１１ｃが形成されている。このボス取り付け部１１ｃに、モータ軸２１ａ先端の外リールボス２２が固定される。これにより、外リール用モータ２１は、円筒形の外リール１１の中心軸上に配置され、外リール１１は、外リール用モータ２１により、軸周りで回転駆動されるようになっている。
【００２８】
内リール用モータ２３は、内リール２１を回転駆動するモータで、外リール１１の外周の直ぐ内側付近に位置するように、支持ブラケット１３に固定されている。内リール用モータ２３のモータ軸２３ａは、支持ブラケット１３に対して垂直方向に延びており、このモータ軸２３ａの先端には、外周に歯２４ａが形成された内リールボス２４が固定されている。
【００２９】
一方、内リール１２は、外リール１１よりも小径の円筒形の部材であり、湾曲した周面１２ａを有し、この周面１２ａの両側に、開口１２ｂ、１２ｃを備えるものである。内リール１２は、外ガイドローラ２５と内ガイドローラ２６に支持されることにより、開口１２ｃを支持ブラケット１３側に向けて、外リール１１の内側に配置されている。この場合、内リール１２の中心軸は、外リール１１の中心軸に対して、スロットマシン１の前面側にずれた位置に配置される。これにより、外リール１１の周面１１ａと内リールの周面１２ａは、表示窓３後方に配置される表示位置１４において、重なり合った状態となる。この結果、表示位置１４においては、外リール１１の周面１１ａに備えられた内容（例えば図柄形状、色等）と内リール１２の周面１２ａに備えられた内容が組み合わされた一つの図柄が形成される。
【００３０】
内リール１２の開口１２ｂ（支持ブラケット１３と反対側の開口）の内周縁には、全周にわたって、歯１２ｄが形成されている（図５には、歯１２ｄの一部のみが描かれている）。この内リール１２の歯１２ｄは、内リールボス２４の歯２４ａと噛合する。この噛合を介して、内リール１２は、内リール用モータ２３によって回転駆動されるようになっている。
【００３１】
外ガイドローラ２５と内ガイドローラ２６は、内リール１２を、正しい位置に保持し、正しい回転軌道で回転するように案内するローラである。外ガイドローラ２５は、内リール１２の外側に複数個（本実施形態では、内リール１２の上下に１つずつ、合計２個）設けられ、内リール１２の周面１２ａに外側から接触している。一方、内ガイドローラ２６は、内リール１２の内側に複数個（本実施形態では、合計４個）設けられ、内リール１２の内周面に沿って均等な間隔で配置され、周面１２ａに内側に内側から接触している。
【００３２】
ランプハウジング３１は、リールユニット１０の表示位置１４（外リール１１と内リール１２と重なった位置）の後方に配置される。ランプハウジング３１内には、ＬＥＤランプ基板３２が収容されている。このＬＥＤランプ基板３２に備えられた複数のＬＥＤランプ３３によって、表示位置１４に配置された外リール１１及び内リール１２は、後方から照射される。これにより、表示位置１４において、図柄が明瞭に表示されるようになっている。
【００３３】
フォトセンサ３５は、外リール１１の回転数を検出するものである。詳しく説明すると、外リール１１のボス取り付け部１１ｃには、Ｌ字型のフォトインデックス３６が、外リール１１の半径方向に延びて取り付けられている。フォトセンサ３５は、外リール１１の回転時にフォトインデックス３６が通過する経路上に配置され、フォトインデックス３６の通過を検知することにより、外リール１１の回転数を検出する。
【００３４】
図７から図９には、外リール１１と内リール１２による図柄の形成を詳細に示す。
図８に示すように、外リール１１の周面１１ａは、複数の長方形の図柄領域４１に区画されている。これらの図柄領域４１は、外リール１１の周方向に一列に並んでおり、各図柄領域４１には、様々な形状の図柄４２が描かれている。そして、各図柄４２の内側部分４２ａは、透明となっている。
【００３５】
図９に示すように、内リール１２の周面１２ａは、外リール１１と同様に、周方向に一列に並ぶ複数の長方形の図柄領域４６に区画されている。そして、各図柄領域４６は、様々な色に着色されている。なお、図９では、左下がりのハッチングで赤色の着色を、右下がりのハッチングで緑色の着色を、破線のハッチングで銀色の着色を、空白で黄色の着色を、クロスハッチングで金色の着色を、それぞれ示している。
【００３６】
このような内リール１２の図柄領域４６の色が、外リール１１の図柄領域４１の透明な図柄４２の下側に重ねられることによって、図柄形状と色が組み合わされた一つの図柄が形成される。図１０には、このように形成された図柄の一例を示す。図１０（ａ）では、図柄領域４１内の円形の図柄４２に、図柄領域４６の赤色が重ね合わされることにより、赤色の円形図柄が形成されている。一方、図１０（ｂ）では、図柄領域４１内の円形の図柄４２に、図柄領域４６の銀色が重ね合わされることにより、銀色の円形図柄が形成されている。
【００３７】
このように、本実施形態によれば、外リール１１の図柄形状が同じでも、内リール１２の色を異ならせることにより、異なる図柄とすることができるので、リール表示装置９で表示できる図柄の種類を、大幅に増やすことができる。したがって、表示しうる図柄の種類の増加によって、遊技の興趣を高めることが可能となる。
【００３８】
また、内リール１２は、外リール１１の内側に収容されているので、リールユニット１０の大きさは外リール１１のみを備えた場合よりも大きくなることはなく、コンパクトな構成で、多彩な図柄表現が可能となる。
【００３９】
また、内リール１２を回転駆動する内リール用モータ２３は、内リール１２の内周付近に配置され、モータ軸２３ａに固定された内リールボス２４の歯２４ａが、内リール１２の内周に形成された歯１２ｄと係合するようになっている。これにより、外リール用モータ２１とは別の内リール用モータ２３を、外リール１１の回転軸上に配置された外リール用モータ２１と干渉することなく配置することができる。したがって、外リール１１と内リール１２を別のモータで独立に回転動作させることができ、外リール１１と内リール１２の回転動作の自由度が高まり、図柄表現や遊技方法に様々なバリエーションを持たせることができる。
【００４０】
次に、リール式表示装置９を用いた具体的な遊技例を説明する。スロットマシン１では、一例として、以下のような遊技が可能となる。すなわち、リールユニット１０Ａ〜１０Ｃの外リール１１を、遊技者によるストップボタン７Ａ〜７Ｃの操作に応じて回転停止がなされるメインリールとし、表示位置１４に配置された３つの外リール１１の図柄形状が一致した場合に当たりとする。一方、リールユニット１０Ａ〜１０Ｃの内リール１２は、コンピュータ制御によって回転停止がなされるサブリールとし、表示位置１４に配置された３つの内リール１２の色が揃った場合に、遊技者に対して、現在のゲームの状態がどのようなモードにあるのかを知らせる。具体的には、遊技者によるストップボタン７Ａ〜７Ｃの操作以外に、遊技モードによって当たり発生の確率が変わるようにして、この当たり発生の確率の高低を、表示位置１４に配置された３つの内リール１２の色が揃ったか揃わなかったかで示すようにすることができる。
【００４１】
また、本実施形態におけるリール式表示装置９をパチンコ機に備えた場合には、一例として、次のような遊技が可能となる。すなわち、表示位置１４に配置された３つの外リール１１の図柄形状が一致し、かつ３つの内リール１２の色も一致した場合には、大当たりとする一方、外リール１１の図柄形状だけ、又は内リール１２の色だけが一致した場合には、小当たりとすることができる。
【００４２】
図１０から図１３には、本発明の第２の実施形態における外リール１１と内リール１２による図柄の形成を示す。なお、本実施形態は、上記図１から図９の実施形態と比較して、外リール１１及び内リール１２が以下に述べる点で異なっているだけで、他の構成は上記図１から図９の実施形態と共通する。
【００４３】
図１０に示すように、本実施形態では、外リール１１の図柄領域４１の左上部分と右下部分には、様々な種類の小図柄４３が設けられている。また、外リール１１の各図柄領域４１は、全体に透明とされ、小図柄４３以外の部分では、後方に配置された内リール１２が透けて見えるようになっている。
【００４４】
一方、内リール１２の各図柄領域４６の略中央部には、図柄４７が描かれている。これらの図柄４７は、外リール１１に描かれた小図柄４３を拡大した図柄となっている。これにより、表示位置１４において、外リール１１の図柄領域４１の後方に内リール１２の図柄領域４６が配置されると、図柄領域４６の図柄４７と図柄領域４１の小図柄４３が組み合わされた一つの図柄が形成される。図１３（ａ）には、図柄領域４６の星形状の図柄４７に、図柄領域４１の星形状の小図柄４３が組み合わされた図柄を示す。また、図１３（ｂ）には、図柄領域４６の星形状の図柄４７に、図柄領域４１の円形の小図柄４３が組み合わされた図柄を示す。
【００４５】
本実施形態によれば、スロットマシン１において、一例として、以下のような遊技を行うことができる。すなわち、内リール１２をメインリールとし、表示位置１４に配置された３つの内リール１２の図柄４７が一致した場合を大当たりとする一方、外リール１２をサブリールとし、表示位置１４に配置された外リール１１の小図柄４７が一致した場合に、遊技が遊技者にとって有利なモードにあることを知らせるようにすることができる。
【００４６】
また、本実施形態のリール式表示装置をパチンコ機に用いた場合には、表示位置１４に配置された３つの内リール１２の図柄４７と３つの外リール１１の小図柄４３の全てが一致した場合を大当たりとする一方、表示位置１４に配置された３つの内リール１２の図柄４７又は３つの外リール１１の小図柄４３のどちらか一方のみが一致した場合を小当たりとすることができる。
【００４７】
図１３には、本発明の第３の実施形態におけるリール式表示装置９の側面図を示す。
本実施形態は、上記図１から図１０に示した実施形態と比較して、リール式表示装置９において、内リール用モータ２３のモータ軸２３ａに、内リールボス２４の代わりに、ローラ５１が取り付けられている点で異なっている。さらに、上側の外ガイドローラ２５の位置は、内リール１２の周面１２ａを挟んで、ローラ５１と相対する位置に変更されている。これにより、内リール１２は、ローラ５１と外ガイドローラ２５との間に挟み込まれ、ローラ５１との間の摩擦力により回転駆動される。
【００４８】
この実施形態からも分かるように、本発明において、外リール及び内リールの駆動手段（本実施形態では外リール用モータ２１及び内リール用モータ２３）から外リール及び内リールに回転駆動力を伝達するための伝達手段は、特に限定されるものではなく、任意の形態をとることができる。
【００４９】
図１４には、本発明の第４の実施形態におけるリール式表示装置９の側面図を示す。
本実施形態は、上記図１から図１０に示した実施形態と比較して、リール式表示装置９において、内リール１２の駆動手段として内リール用モータ２３を設けず、外リール用モータ２１により、外リール１１と内リール１２の両方を駆動するようにした点で異なるものである。具体的には、外リール用モータ２１のモータ軸２１ａには、外リールボス２２の他に、内リール用ギア５３が固定される。内リール用ギア５３は、内リール１２の歯１２ｄと噛合する。これにより、外リール用モータ２１は、外リール１１だけでなく、内リール１２も回転駆動する。このように、本実施形態によれば、外リール１１と内リール１２を駆動するモータが１つで済むので、部品点数を削減することができ、リール式表示装置９の低コスト化を図ることができる。
【００５０】
また、この実施形態からも分かるように、外リール１１及び内リール１２の駆動手段は特に限定されるものではなく、任意の形態をとることができる。
また、上記各実施形態では、各リールユニットにおいて、外リールの内側に配置される内リールは１つだけであったが、本発明において、１個の外リールに対する内リールの数は１個に限られない。例えば、上記図１４の実施形態において、内リール１２の内側に、更に小径の第２の内リールを備え、この第２の内リールに対して外リール用モータ２１のモータ軸２１ａをギアにより連係させるようにすることにより、外リール１１と内リール１２と第２の内リールの全てを、外リール用モータ２１により回転駆動させるようにしてもよい。
【００５１】
また、外リールと内リールによる図柄の形成も、上記各実施形態におけるものに限定されない。すなわち、本発明では、外リールに備えられた内容と内リールに備えられた内容を組み合わせて、表示位置に１つの図柄が形成されればよいのであって、外リールと内リールのそれぞれには、任意の内容（図柄形状、色等）を設けることができる。
【図面の簡単な説明】
【００５２】
【図１】本発明の第１の実施形態におけるスロットマシンを示す正面図である。
【図２】同じくリール式表示装置を示す正面図である。
【図３】同じくリール式表示装置を示す平面図である。
【図４】同じくリール式表示装置を示す側面図である。
【図５】同じくリールユニットを示す斜視図である。
【図６】同じくリールユニットを示す分解斜視図である。
【図７】同じく外リールを示す図である。
【図８】同じく内リールを示す図である。
【図９】同じく外リールと内リールが組み合わされた図柄を示す図であり、（ａ）は赤色の円形図柄が形成された状態を、（ｂ）は銀色の円形図柄が形成された状態をそれぞれ示す。
【図１０】本発明の第２の実施形態における外リールを示す図である。
【図１１】同じく内リールを示す図である。
【図１２】同じく外リールと内リールが組み合わされた図柄を示す図であり、（ａ）は外リールの星形の小図柄と内リールの星形の図柄が組み合わされた図柄を、（ｂ）は外リールの円形の小図柄と内リールの星形の図柄が組み合わされた図柄をそれぞれ示す。
【図１３】本発明の第３の実施形態におけるリール式表示装置の側面図である。
【図１４】本発明の第４の実施形態におけるリール式表示装置の側面図である。
【符号の説明】
【００５３】
１  スロットマシン
２  筐体
３  表示窓
９  リール式表示装置
１０  リールユニット
１１  外リール
１２  内リール
１３  支持ブラケット
１４  表示位置
２１  外リール用モータ
２２  外リールボス
２３  内リール用モータ
２４  内リールボス
２５  外ガイドローラ
２６  内ガイドローラ
【図１】
2005287654.tif 000003
【図２】
2005287654.tif 000004
【図３】
2005287654.tif 000005
【図４】
2005287654.tif 000006
【図５】
2005287654.tif 000007
【図６】
2005287654.tif 000008
【図７】
2005287654.tif 000009
【図８】
2005287654.tif 000010
【図９】
2005287654.tif 000011
【図１０】
2005287654.tif 000012
【図１１】
2005287654.tif 000013
【図１２】
2005287654.tif 000014
【図１３】
2005287654.tif 000015
【図１４】
2005287654.tif 000016